(57)【要約】【課題】複数のパチンコ球が所定の時間以上を隔てて入賞することを確保するとともに、入賞装置の小型化を図る。【解決手段】球流入部５６と、その下流側の球受け部５８と、その下流側の球通過部と、球受け部５８の近傍の中心軸線回りに回転可能な円筒状の作用部１２０を有する回転体１００とを有し、作用部１２０は、遮断部１２２と、非遮断部１２４と、押圧部１２６とを有し、遮断部１２２は、遮断状態の際に球流入部５６と球受け部５８との間に位置して球流入部５６から球受け部５８へパチンコ球が流れることを阻止し、非遮断部１２４は、非遮断状態の際に球流入部５６と球受け部５８との間に位置して球流入部５６から球受け部５８へパチンコ球が流れることを許容し、押圧部１２６は、非遮断状態から遮断状態へと切り換わる際に球受け部５８の上のパチンコ球を押圧して落下させる。【選択図】  図３
2004181071.tif 000002
【特許請求の範囲】
【請求項１】
パチンコ機の遊技盤に設けられる入賞装置であって、
パチンコ球が流入する流入部と、
前記流入部の下流側に設けられ、前記パチンコ球を受ける球受け部と、
前記球受け部の下流側に設けられ、前記パチンコ球が流出する流出部と、
前記球受け部の近傍においてほぼ水平な回転軸線回りに回転可能に設けられ、前記回転軸線回りに回転することによって遮断状態と非遮断状態との間を切り換わる回転体と
を有し、
前記回転体は、遮断部と非遮断部と押圧部とを有し、
前記遮断部は、前記遮断状態の際に前記流入部と前記球受け部との間に位置して前記流入部から前記球受け部へ前記パチンコ球が流れることを阻止するものであり、
前記非遮断部は、前記非遮断状態の際に前記流入部と前記球受け部との間に位置して前記流入部から前記球受け部へ前記パチンコ球が流れることを許容するものであり、
前記押圧部は、前記非遮断状態から前記遮断状態へと切り換わる際に前記球受け部の上の前記パチンコ球が当該球受け部から外れるように当該パチンコ球を押圧するものである、
パチンコ機の入賞装置。
【請求項２】
請求項１に記載のパチンコ機の入賞装置であって、
前記回転体は、前記回転軸線を自身の中心軸線とするほぼ円筒状の作用部を有しており、当該作用部の周方向における一部が欠落されており、
前記遮断部は、前記作用部のうちの前記欠落されていない部分であり、
前記非遮断部は、前記作用部のうちの前記欠落されている部分であり、
前記押圧部は、前記遮断部における前記作用部の回転方向の側の端部である、
パチンコ機の入賞装置。
【発明の詳細な説明】
【０００１】
【発明の属する技術分野】
本発明は、パチンコ機の遊技盤に設けられる入賞装置に関するものである。
【０００２】
【従来の技術】
パチンコ機として、次の構造を有するものがある。
そのパチンコ機は、遊技盤上に、球通過装置，図柄表示装置，権利発生装置，大入賞口，入賞装置等を有している。
そして、球通過装置をパチンコ球が通過することによって、図柄表示装置では、図柄が所定の時間変動した後に、最終的な図柄が静止表示される。静止表示された図柄には「当たり」と「はずれ」とがあり、「当たり」の場合には、権利発生装置の扉が開状態となる。その状態で、１つのパチンコ球が権利発生装置の内部の特定入賞検出器を通過した場合には、大当たり発生の第１条件が満たされることになる。
一方、入賞装置に１つのパチンコ球が入賞することによって、大当たり発生の第２条件が満たされることになる。
【０００３】
上記の第１条件が満たされた状態で上記の第２条件が満たされることによって、大入賞口（その扉）が、１回、所定の間、開状態となるようにされている。例えば、大入賞口に１０個のパチンコ球が入賞するまで当該大入賞口が開状態であるとともに、それまでに２０秒経過すると、その時点で当該大入賞口が閉状態となるようにされている。
このことが、上記の第１条件が１度満たされた状態で、所定の回数を限度に（例えば１６回）、上記の第２条件が満たされるごとに繰り返される。
以上のことは、上記第１条件が満たされるごとに、入賞装置に入賞するパチンコ球の数が入賞装置の内部に設けられたパチンコ球センサによってカウントされることに基づいて、制御される。
【０００４】
ここで、第１条件が満たされた状態で第２条件が満たされることによって大入賞口が開状態となっている際に、もしも２つ目のパチンコ球が入賞装置に入賞した場合には、当該２つ目のパチンコ球によって大入賞口が開状態になるということはない。なぜなら、すでに大入賞口は開状態だからである。しかしながら、一方、入賞装置に当該２つ目のパチンコ球が入賞したことは、パチンコ球センサによる検知に基づいてカウントされる。
このことから、大入賞口は、本来の回数（例えば１６回）よりも少ない回数（例えば１５回）しか、大入賞口が開状態にならないこととなってしまう。
しかし、それでは、所定の回数（例えば１６回）大入賞口が開状態となるであろうという遊技者の期待が外れることになり、遊技者に与える興趣がその分減殺されることになってしまう。
【０００５】
上記の不都合を解消するために、特許文献１には、次の入賞装置が開示されている。
その入賞装置（回転体付始動入賞口）は、遊技盤の奥行方向にほぼ沿った中心軸線を有する円筒状の囲い枠を有している。その囲い枠の上部には、球流入部（玉入口）が形成されている。その囲い枠に対して、回転体が配設されている。その回転体は、囲い枠に対応するとともに、その一外周部に凹部を有し、前記中心軸線を中心に所定の回転速度で回転するようにされている。
【０００６】
そして、球流入部において待機していたパチンコ球は、回転体の凹部が球流入部に合致した際に、その凹部に入り込み、当該回転体のほぼ一周の回転に伴って囲い枠の内壁面に沿ってほぼ一周の回転をした後に、球通路部（入賞開口）に到る。それとともに、上記のようにパチンコ球が囲い枠の内部を回転する間においては、当該回転体（その外周部のうち凹部が形成されていない部分）によって、球流入部において待機するパチンコ球が、当該入賞装置の内部に入ることが阻止される。
【０００７】
こうして、所定の時間（例えば２０秒）以内に２つ以上のパチンコ球が入賞装置に入賞することが防止され、第１条件が満たされた際に大入賞口が所定の数（例えば１６回）開状態となることが確保される。
【０００８】
【特許文献１】
特開平５−２７７２３７公報
【０００９】
【発明が解決しようとする課題】
上述のように、前記従来の入賞装置では、遊技盤の奥行方向にほぼ沿った中心軸線を中心に回転体がほぼ一周することによって、当該入賞装置内においてパチンコ球が当該中心軸線を中心にほぼ一周する。
このため、前記従来の入賞装置では、そのようにパチンコ球が回転する（ほぼ一周する）分のスペースが確保される必要があり、その分、遊技盤の面方向において大きなものとならざるを得ない。
しかし、それでは、遊技盤上において（正確には、そのうちの遊技領域内において）パチンコ球が流れるスペースを狭めることになってしまう。
【００１０】
そこで、本発明は、所定の時間以内に複数のパチンコ球が入賞することを阻止する機能を有し、小型のものとされ得る入賞装置を提供することを目的とする。
【００１１】
【課題を解決するための手段】
上記の目的を達成するために、請求項１に係る発明は、パチンコ機の遊技盤に設けられる入賞装置であって、パチンコ球が流入する流入部と、前記流入部の下流側に設けられ、前記パチンコ球を受ける球受け部と、前記球受け部の下流側に設けられ、前記パチンコ球が流出する流出部と、前記球受け部の近傍においてほぼ水平な回転軸線回りに回転可能に設けられ、前記回転軸線回りに回転することによって遮断状態と非遮断状態との間を切り換わる回転体とを有し、前記回転体は、遮断部と非遮断部と押圧部とを有し、前記遮断部は、前記遮断状態の際に前記流入部と前記球受け部との間に位置して前記流入部から前記球受け部へ前記パチンコ球が流れることを阻止するものであり、前記非遮断部は、前記非遮断状態の際に前記流入部と前記球受け部との間に位置して前記流入部から前記球受け部へ前記パチンコ球が流れることを許容するものであり、前記押圧部は、前記非遮断状態から前記遮断状態へと切り換わる際に前記球受け部の上の前記パチンコ球が当該球受け部から外れるように当該パチンコ球を押圧するものである、パチンコ機の入賞装置である。
【００１２】
ここで、「ほぼ水平な回転軸線回りに」の代表例としては、遊技盤がほぼ鉛直の場合において、「遊技盤の奥行方向にほぼ沿った回転軸線回りに」がある。
「当該球受け部から外れるように」の代表例としては、「当該球受け部から落下するように」がある。
【００１３】
上記発明の入賞装置では、次の作用効果が得られる。
すなわち、パチンコ球（１つ目のパチンコ球）は、回転体が非遮断状態にある際に、流入部から球受け部へと流れる。そして、回転体の回転に伴って、回転体が非遮断状態から遮断状態に切り換わる際に、回転体の押圧部によって当該１つ目のパチンコ球が押圧され、当該１つ目のパチンコ球が球受け部から外れて、その後、流出部から流出していく。それとともに、２つ目のパチンコ球は、遮断状態にある回転体の遮断部によって、流入部から球受け部へ流れることが阻止される。
そして、回転体の回転に伴って、回転体が再度非遮断状態になったときに、上述と同様に２つ目のパチンコ球が球受け部へと流れ、回転体が再度遮断状態に切り換わる際に、その２つ目のパチンコ球が上述と同様に球受け部から外れて、その後、流出部から流出していく。
このようにして、この入賞装置では、回転体の回転に対応して、所定の時間を隔ててパチンコ球が入賞することが確保される。
【００１４】
そして、この入賞装置では、回転体がほぼ一周することに伴ってパチンコ球もほぼ一周する、ということはない。このため、その分のスペースが不要となり、小型化が図られる。
【００１５】
請求項２に係る発明は、請求項１に係る発明のパチンコ機の入賞装置であって、前記回転体は、前記回転軸線を自身の中心軸線とするほぼ円筒状の作用部を有しており、当該作用部の周方向における一部が欠落されており、前記遮断部は、前記作用部のうちの前記欠落されていない部分であり、前記非遮断部は、前記作用部のうちの前記欠落されている部分であり、前記押圧部は、前記遮断部における前記作用部の回転方向の側の端部である、パチンコ機の入賞装置である。
【００１６】
上記発明の入賞装置では、請求項１に係る発明の入賞装置の作用効果がより具体的に得られる。
すなわち、パチンコ球（１つ目のパチンコ球）は、回転体が非遮断状態にある際に、作用部のうちの欠落されている部分である非遮断部を通って、流入部から球受け部へと流れる。そして、回転体（作用部）の回転に伴って、回転体（作用部）が非遮断状態から遮断状態に切り換わる際に、遮断部のうちの作用部の回転方向の側の端部である押圧部によって当該１つ目のパチンコ球が押圧され、当該１つ目のパチンコ球が球受け部から外れて、その後、流出部から流出していく。それとともに、２つ目のパチンコ球は、遮断状態にある回転体の作用部のうちの欠落されていない部分である遮断部によって、流入部から球受け部へ流れることが阻止される。
そして、回転体（作用部）の回転に伴って、回転体（作用部）が再度非遮断状態になったときに、上述と同様に２つ目のパチンコ球が球受け部へと流れ、回転体（作用部）が再度遮断状態に切り換わる際に、その２つ目のパチンコ球が上述と同様に球受け部から外れて、その後、流出部から流出していく。
このようにして、この入賞装置では、回転体（作用部）の回転に対応して、所定の時間を隔ててパチンコ球が入賞することが確保される。
【００１７】
そして、この入賞装置でも、回転体がほぼ一周することに伴ってパチンコ球もほぼ一周する、ということはない。このため、その分のスペースが不要となり、小型化が図られる。
【００１８】
【発明の実施の形態】
［実施形態１］
次に、本発明の実施形態１について、図１〜図１１に基づいて説明する。
まず、本発明の実施形態の入賞装置が設けられるパチンコ機について説明する。
図１に示すように、このパチンコ機は、ほぼ鉛直な遊技盤１０を有している。遊技盤１０の下方には、ハンドル１８や賞球払い出し装置（図示省略）が設けられている。
【００１９】
遊技盤１０には、外側レール１１及び内側レール１２が設けられており、内側レール１２の内側が遊技領域（符号省略）とされている。そして、遊技者がハンドル１８を操作することによって発射されたパチンコ球は、遊技領域へと導かれる。
【００２０】
遊技盤１０（遊技領域）には、多数の釘（図示省略）や風車１４が設けられているとともに、複数の普通入賞口１６が設けられている。普通入賞口１６にパチンコ球が入った場合には、例えば６又は１３個のパチンコ球が賞球として賞球払い出し装置から払い出される。
【００２１】
また、このパチンコ機は、遊技盤１０上（遊技領域内）に、球通過装置２０，図柄表示装置２５，権利発生装置３０，大入賞口３５，入賞装置４０等を有している。権利発生装置３０は扉を有し、その扉の内部には特定入賞検出器３２が設けられている。
【００２２】
そして、球通過装置２０をパチンコ球が通過することによって、図柄表示装置２５では、図柄が所定の時間変動した後に、最終的な図柄が静止表示される。静止表示された図柄には「当たり」と「はずれ」とがあり、「当たり」の場合（例えば「７７７」）には、権利発生装置３０の扉が開状態となる。その状態で、１つのパチンコ球が特定入賞検出器３２を通過した場合には、大当たり発生の第１条件が満たされることになる。
一方、入賞装置４０に１つのパチンコ球が入賞することによって、大当たり発生の第２条件が満たされることになる。
【００２３】
上記の第１条件が満たされた状態で上記の第２条件が満たされることによって、大入賞口３５（その扉）が、１回、所定の間、開状態となるようにされている。例えば、大入賞口３５に１０個のパチンコ球が入賞するまで大入賞口３５が開状態であるとともに、それまでに２０秒経過すると、その時点で大入賞口３５が閉状態となるようにされている。そして、大入賞口３５に１つのパチンコ球が入賞するたびごとに、複数個（例えば１５個）のパチンコ球が賞球として賞球払い出し装置から払い出される。
このことが、上記の第１条件が１度満たされた状態で、所定の回数を限度に（例えば１６回）、上記の第２条件が満たされるごとに繰り返される。
【００２４】
以上のことは、上記第１条件が満たされるごとに、入賞装置４０に入賞するパチンコ球の数が入賞装置４０の内部に設けられたパチンコ球センサ８８（図４に基づいて後述）によってカウントされることに基づいて、制御される。
【００２５】
そして、この入賞装置４０では、次述するように、第１条件が満たされた状態で第２条件が満たされることによって大入賞口３５が開状態になっている際に、２つ目のパチンコ球が入賞することが阻止される。
【００２６】
次に、入賞装置４０について、図２〜図１１に基づいて詳しく説明する。
図４に示すように、この入賞装置４０は、手前側部材５０，中央部材７０，奥側部材８０を有している。また、この入賞装置４０は、回転体１００，ＬＥＤ基板７５，パチンコ球センサ８８，モータ８５を有している。
【００２７】
そして、後述するようにそれら各部材１００，７５，８８，８５が手前側部材５０，中央部材７０，奥側部材８０のうちの所定の部材に対して適宜組み付けられた状態で、手前側部材５０，中央部材７０，奥側部材８０が結合されて、図２に示すように、この入賞装置４０が形成されている。
すなわち、図４及び図５に示すように、手前側部材５０は２つのボス５１を有し（図４及び図５中にはともに１つのみ図示）、各ボス５１は、中央部材７０のほぼ有底円筒状の各ボス嵌合用筒状部７１に嵌合され、各ビス８３が、奥側部材８０に形成された各ビス孔８２及び各ボス嵌合用筒状部７１に形成されたビス孔７２を通して、各ボス５１に形成されたビス穴５２に対して螺合されることによって、手前側部材５０，中央部材７０，裏側部材が結合されている。
【００２８】
図４及び図５に示すように、回転体１００は軸部１１０を有し、軸部１１０の先端部には、放射状の連結部１１５を介して、作用部１２０が形成されている。
図３〜図５に示すように、作用部１２０は、周壁部の一部が欠落したほぼ円筒状をしており、円弧状の周壁部（欠落していない部分）が遮断部１２２であり、欠落した部分が非遮断部１２４である（図５参照）。そして、遮断部１２２における回転体１００の回転方向（図３中、反時計回り方向）の側の端部が、押圧部１２６である。
また、軸部１１０の先端部における中心軸線部分には、取付用穴部１１１が形成されている（図４参照）。
【００２９】
図４に示すように、手前側部材５０は、フランジ状の取付板部５４を有している（図２及び図３も参照）。そして、手前側部材５０（入賞装置４０）は、取付板部５４において、遊技盤１０のおもて側の面に対して取り付けられる（図１参照）。
【００３０】
図３等に示すように、手前側部材５０には、取付板部５４を基準に手前側の部分に、球流入部５６（流入部），球受け部形成部５７（球受け部５８），作用部収容部６２，球通路部６４が形成されている。
【００３１】
図２〜図４に示すように、球流入部５６は上方に開口している。
図３に示すように、球受け部形成部５７は、球流入部５６の下方に設けられている。図３及び図５に示すように、球受け部形成部５７は、板片状をしている。球受け部形成部５７の上面が球受け部５８である。球受け部５８は、下方に凸状に湾曲した面状をしているとともに、球受け部５８のうちの球通路部６４の側の端部は、斜め下方に傾斜している。
【００３２】
図５に示すように、球受け部形成部５７の奥側の端面には、奥側に突出する取付用軸部５９が形成されている。
図３及び図５等に示すように、作用部収容部６２は、取付用軸部５９をその中心軸線として、ほぼ半円筒状に形成されている。
【００３３】
そして、図４及び図５等に示すように、取付用軸部５９（図５）に対して回転体１００の取付用穴部１１１（図４）が摺動回転可能に嵌合され、回転体１００の作用部１２０は作用部収容部６２に収容されている。
また、回転体１００の軸部１１０（図４参照）は、後述するようにして中央部材７０及び奥側部材８０に対して回転可能に支持されている。このようにして、回転体１００は、軸部１１０を回転軸線として回転可能とされている。
【００３４】
そして、回転体１００の作用部１２０の非遮断部１２４（図５参照）が球流入部５６に対応している状態が非遮断状態で、それ以外の状態（遮断部１２２が球流入部５６に対応している状態）が遮断状態である。
すなわち、図３，図６，図１１に示すように、非遮断状態においては、非遮断部１２４が球流入部５６と球受け部５８との間に位置して、球流入部５６から球受け部５８へパチンコ球が流れる（下降する）ことが許容される。
一方、図８〜図１０に示すように、遮断状態においては、遮断部１２２が球流入部５６と球受け部５８との間に位置して、球流入部５６から球受け部５８へパチンコ球が流れる（下降する）ことが阻止されるのである。
また、図７には、非遮断状態から遮断状態に切り換わる状態が示されている。
【００３５】
図３及び図５に示すように、球通路部６４は、球受け部５８の斜め下方に形成されている。球通路部６４は、奥側（中央部材７０の側）に向かって開口している。球通路部６４の底部は手前側から奥側に向かうにつれて徐々に若干下方に向かっている。
【００３６】
また、図２及び図４に示すように、球流入部５６，球受け部５８（図５参照），球通路部６４に及ぶ部分の手前側部分には、球流出防止部６６が形成されている。
また、図２〜図４に示すように、球通路部６４のうちの上方には、球流入防止部６８が形成されている。
【００３７】
図４及び図５に示すように、中央部材７０には、奥側に向かう貫通孔状の球通路部７３が形成されている。球通路部７３は、球通路部６４のすぐ下流側に位置する。
図４に示すように、中央部材７０のほぼ中央部には、手前側部材５０の取付用軸部５９（図５参照）に対応して、軸部貫通孔部７４が形成されている。軸部貫通孔部７４には、回転体１００の軸部１１０が摺動回転可能に貫通している。
【００３８】
図４に示すように、ＬＥＤ基板７５は、中央部材７０に取り付けられている。そして、ＬＥＤ基板７５に設けられた発光ダイオード（ＬＥＤ）によって、この入賞装置４０が発光するようにされている。
【００３９】
図４に示すように、奥側部材８０には、中央部材７０の軸部貫通孔部７４に対応して、軸部支持部８４が形成されている。軸部支持部８４には、回転体１００の軸部１１０が摺動回転可能に支持されている。
【００４０】
図４に示すように、モータ８５は、奥側部材８０に対して取り付けられている。
回転体１００の軸部１１０の基端部には穴状の軸固定部１１２が形成されている（図５参照）。軸固定部１１２にはモータ８５の回転軸８６が嵌合され固定されている。
このようにして、モータ８５によって、回転体１００が、その軸部１１０の軸回り方向に、所定の回転速度で回転するようにされている。例えば、２０秒で１回転するようにされている。
【００４１】
また、図４に示すように、奥側部材８０には一対の溝状のパチンコ球センサ取付部８７が形成されており、パチンコ球センサ８８は、パチンコ球センサ取付部８７に取り付けられる。パチンコ球センサ８８は、球通過部８９（流出部）を有している。
そして、中央部材７０の球通路部７３を流れてきたパチンコ球は、球通過部８９を通過する際にパチンコ球センサ８８によって検知され、入賞装置４０の外部に流出していく。
【００４２】
次に、この入賞装置４０の作用効果について説明する。
まず、図６に示すように、回転体１００が非遮断状態であるとする。すなわち、回転体１００の作用部１２０のうちの非遮断部１２４が球流入部５６に対応している状態とする。
その場合は、球流入部５６から入賞装置４０の内部に流入しようとするパチンコ球Ｂ１は、球流入部５６を通過して球受け部５８に到達する。また、その際、２つ目のパチンコ球Ｂ２が球流入部５６から入賞装置４０の内部に流入しようとする場合は、当該２つ目のパチンコ球Ｂ２は、球受け部５８上の１つ目のパチンコ球Ｂ１によって当該流入が阻止され、球流入部５６において待機状態とされる。
【００４３】
次に、図７及び図８に示すように、回転体１００の回転に伴って、作用部１２０の押圧部１２６が、球受け部５８上のパチンコ球Ｂ１を球通路部６４の方に向かって押圧する。
これによって、図９に示すように、そのパチンコ球Ｂ１は、球受け部５８から落下して球通路部６４に到り、球通路部６４及び球通路部７３を流れ、球通過部８９（図４参照）を通過する際にパチンコ球センサ８８によって検知され、入賞装置４０から流出していく。
【００４４】
上述の際に、図７及び図８に示すように、回転体１００が遮断状態となり、作用部１２０の遮断部１２２が球流入部５６に対応することとなる。このため、２つ目のパチンコ球Ｂ２は、１つ目のパチンコ球Ｂ１が球受け部５８から外れることによって若干下降するが、作用部１２０の遮断部１２２によってそれ以降の下降が阻止され、引き続き待機状態とされる。
【００４５】
そして、図９及び図１０に示すように、回転体１００は回転するものの、回転体１００が遮断状態である間、すなわち、作用部１２０の遮断部１２２が球流入部５６に対応している間（球受け部５８の上方に位置している間）は、２つ目のパチンコ球Ｂ２については待機状態が維持される。
【００４６】
その後、図１１及び図６に示すように、回転体１００の回転に伴って、回転体１００が非遮断状態となる（作用部１２０の非遮断部１２４が球流入部５６に対応する）ことによって、それまで待機状態であった２つ目のパチンコ球Ｂ２が下降して、球受け部５８に到達する。
【００４７】
回転体１００が所定の回転速度で回転することによって、以上のことが繰り返される。
こうして、複数のパチンコ球Ｂが所定の時間（例えば２０秒）以上を隔てて入賞装置４０の内部に流入することが確保される。
【００４８】
そして、この入賞装置４０では、回転体１００の非遮断部１２４によって球流入部５６から球受け部５８上に導かれたパチンコ球Ｂが回転体１００の押圧部１２６によって押圧されて球通路部６４に到るものである。すなわち、１つのパチンコ球Ｂの流入の際に回転体１００のみが一周するのであり、当該パチンコ球Ｂは一周することはない。
このため、この入賞装置４０は、遊技盤１０の奥行方向にほぼ沿った中心軸線を中心にパチンコ球Ｂが一周するためのスペースを必要とせず、小型化が図られるのである。
【００４９】
［実施形態２］
次に、本発明の実施形態２について、図１２に基づいて、実施形態１との相違点を中心に説明する。
この実施形態２の入賞装置２４０は、実施形態１の入賞装置４０と基本的に同一の構成を有している。
しかしながら、この実施形態２の入賞装置２４０には、複数対（この場合は５対）の釘２４５が伴っている。複数対の釘２４５は、球流入部５６の上方において、球流入部５６に対応して、遊技盤１０（図１参照）に対して設けられている。図１２に示すように、複数対の釘２４５は、パチンコ球Ｂの直径にほぼ対応した間隔を隔てて、上下方向に連なっている。
【００５０】
以上のため、この入賞装置２４０の場合は、パチンコ球Ｂが複数対の釘２４５の間の部分に保持されることによって、複数個（例えば４個）のパチンコ球Ｂが待機状態となり得る。
それとともに、複数のパチンコ球Ｂが待機状態となった場合でも、前述のようにして、所定の時間（例えば２０秒）を隔てて各パチンコ球Ｂが入賞装置２４０の内部に流入するようにされる。
【００５１】
また、この入賞装置２４０では、複数のパチンコ球Ｂが待機状態となっている場合においては、そのことが遊技者によって視認され、遊技者には、それらのパチンコ球が順次入賞するという期待感（興趣）を与えることができる。
【００５２】
［実施形態３］
次に、本発明の実施形態３について、図１３に基づいて、実施形態１との相違点を中心に説明する。
この実施形態３の入賞装置３４０では、球流入部３５６が上下方向に長く形成されている。すなわち、球流入部３５６を形成するための手前側の保持部３５３が上下に長く形成されている。また、保持部３５３には、複数の窓部３５５が形成されている。
また、球流入部３５６の上方には一対の釘３４５が設けられている。なお、釘３４５は複数対設けられてもよいし、一対も設けられなくてもよい。
【００５３】
以上のため、この入賞装置３４０の場合も、パチンコ球Ｂが球流入部３５６及び一対の釘３４５の間の部分に保持されることによって、複数個（例えば５個）のパチンコ球Ｂが待機状態となり得る。
それとともに、複数のパチンコ球Ｂが待機状態となった場合でも、前述のようにして、所定の時間（例えば２０秒）を隔てて各パチンコ球Ｂが入賞装置３４０の内部に流入するようにされる。
【００５４】
また、この入賞装置３４０でも、複数のパチンコ球Ｂが待機状態となっている場合においては、そのことが保持部３５３の窓部３５５を通して視認され得る。このため、複数のパチンコ球Ｂが待機状態となっていることが遊技者によって認識され、遊技者には、それらのパチンコ球が順次入賞するという期待感（興趣）を与えることができる。
【００５５】
なお、上記のものはあくまで本発明の数例の実施形態にすぎず、当業者の知識に基づき種々の変更を加えた態様で本発明を実施できることはもちろんである。
【００５６】
例えば、上記実施形態では回転体１００の作用部１２０に１つの非遮断部１２４が形成され、１つの遮断部１２２が形成されているが、それに限らず、作用部１２０に複数個（例えば２つ）の非遮断部（１２４）が形成され、同数の遮断部（１２２）が形成されてもよい。なお、その際、複数の非遮断部（１２４）が作用部１２０の周方向に対して均等な角度間隔で形成されることが望ましい。
そして、非遮断部（１２４）及び遮断部（１２２）が複数形成される場合には、回転体（１００）の回転速度がその分遅いものとされることによって、対処され得る。
すなわち、作用部１２０に２つの非遮断部（１２４）が均等に形成され、２つの遮断部（１２２）が形成されている場合には、上記実施形態のように各々１つずつ形成されている場合と比べて、回転体（１００）の回転速度が半分とされることによって対処され得る。
【００５７】
【発明の効果】
以上説明したように、本発明によれば、複数のパチンコ球が所定の時間以上を隔てて入賞装置の内部に流入することが確保されるとともに、入賞装置の小型化が図られる。
【図面の簡単な説明】
【図１】本発明の実施形態１の入賞装置が設けられたパチンコ機の一例を示す正面図である。
【図２】本発明の実施形態１の入賞装置を示す斜視図である。
【図３】本発明の実施形態１の入賞装置を示す縦断面図である。回転体は非遮断状態である。
【図４】本発明の実施形態１の入賞装置を示す分解斜視図である。斜め手前側方向から見た図である。
【図５】本発明の実施形態１の入賞装置の一部を示す分解斜視図である（一部破断）。斜め奥側方向から見た図である。
【図６】本発明の実施形態１の入賞装置の作用を示す図である。（ａ）は縦断面図であり、（ｂ）は一部を破断及び省略した斜視図である。このことは、図７〜図１１においても同様である。
【図７】本発明の実施形態１の入賞装置の作用を示す図である。図６の次の段階の状態を示す。
【図８】本発明の実施形態１の入賞装置の作用を示す図である。図７の次の段階の状態を示す。
【図９】本発明の実施形態１の入賞装置の作用を示す図である。図８の次の段階の状態を示す。
【図１０】本発明の実施形態１の入賞装置の作用を示す図である。図９の次の段階の状態を示す。
【図１１】本発明の実施形態１の入賞装置の作用を示す図である。図１０の次の段階の状態を示す。
【図１２】本発明の実施形態２の入賞装置を示す正面図である。
【図１３】本発明の実施形態３の入賞装置を示す正面図である。
【符号の説明】
１０  遊技盤
４０，２４０，３４０  入賞装置
５６，３５６  球流入部（流入部）
５８  球受け部
８９  球通過部（流出部）
１００  回転体
１１０  軸部（回転軸線）
１２０  作用部
１２２  遮断部
１２４  非遮断部
１２６  押圧部
【図１】
2004181071.tif 000003
【図２】
2004181071.tif 000004
【図３】
2004181071.tif 000005
【図４】
2004181071.tif 000006
【図５】
2004181071.tif 000007
【図６】
2004181071.tif 000008
【図７】
2004181071.tif 000009
【図８】
2004181071.tif 000010
【図９】
2004181071.tif 000011
【図１０】
2004181071.tif 000012
【図１１】
2004181071.tif 000013
【図１２】
2004181071.tif 000014
【図１３】
2004181071.tif 000015